(57)【特許請求の範囲】
【請求項１】
建物の壁面の近傍から延びる採風壁を設け、この採風壁は、先端が前記壁面の開口部側へ近づくように斜めに設け、この採風壁の偏り方向の前面側に水の蒸発を促進させるための冷却装置を設け、かつ前記採風壁は前面側が凹面となった曲面壁に構成し、前記冷却装置は、前記採風壁の前面に水幕状に水を流す壁前面施水装置、および前記採風壁の前部に位置する上面開放の池を備え、前記壁前面施水装置が、前記採風壁の上端に設けられて採風壁の前面側へ内部の水を溢れさせる壁上水路溝と、前記池の水を前記壁上水路溝へ循環させる循環水路とで構成される建物採風装置。
【請求項２】
建物の壁面の近傍から延びる採風壁を設け、この採風壁は、先端が前記壁面の開口部側へ近づくように斜めに設け、この採風壁の偏り方向の前面側に水の蒸発を促進させるための冷却装置を設け、かつ前記採風壁は前面側が凹面となった曲面壁に構成し、前記冷却装置は、前記採風壁の前面に水幕状に水を流す壁前面施水装置、および前記採風壁の前部に位置する上面開放の池を備え、前記壁前面施水装置が、前記池内または池の付近から前記採風壁へ水を吹き付ける噴水装置である建物採風装置。
【発明の詳細な説明】
【０００１】
【産業上の利用分野】
この発明は、蒸発冷却効果を利用する建物採風装置に関し、特に住宅等の建物に応用される採風装置に関する。
【０００２】
【従来の技術】
従来、風を室内に導き入れる装置として、袖壁や、縦軸窓、フェンス、あるいはパキスタン国等で使用されているバッドギヤ等がある。蒸発による冷却装置としては、冷風扇や、打ち水、池等がある。
【０００３】
【発明が解決しようとする課題】
しかし、従来の技術は、いずれも風を室内に導き入れる機能だけ、または蒸発熱によって冷却効果を得るだけの単独機能のものであり、そのため効果的な採風および冷却が難しい。
この発明の目的は、開口部と平行に吹く風を室内に導き入れることができ、かつ効果的な自然冷房が行える建物採風装置を提供することである。
【０００４】
【課題を解決するための手段】
この発明の建物採風装置は、建物の壁面の近傍から延びる採風壁を設け、この採風壁は、先端が前記壁面の開口部側へ近づくように斜めに設け、この採風壁の偏り方向の前面側に水の蒸発を促進させる冷却装置を設けたものである。前記採風壁は前面側が凹面となった曲面壁に構成する。
冷却装置は、前記採風壁の前面に水幕状に水を流す壁前面施水装置を備えたものとする。また、冷却装置は、前記採風壁の前部に位置する上面開放の池を含むものとする。
前記壁前面施水装置は、前記採風壁の上端面に設けられて採風壁の前面側へ内部の水を溢れさせる壁上水路溝と、前記池の水を前記壁上水路溝へ循環させる循環水路とを備えたものとできる。
前記壁前面施水装置は、前記池内または池の付近から前記採風壁へ水を吹き付ける噴水装置であっても良い。
【０００５】
【作用】
この発明の構成によると、壁面近傍から斜めに延びた採風壁により、開口部と平行に吹く風を捉え、建物内に導き入れることができる。また、冷却装置で水を蒸発させた蒸発熱で採風壁の前面付近の空気が冷却され、この冷却された空気が建物内に導き入れられることになる。このように、風の案内と蒸発熱による冷却との相乗効果で、快適な室内の自然冷却が行える。建物の周囲を吹く風の流れ方向は、建物の構築された地域、立地条件、季節、一日の時間帯等によって一般に定まっており、そのため夏場に吹く風の方向に応じて採風壁をおよびこの採風壁で風を導き入れたい開口部の位置や方向を設計することで、効果的な採風が行える。
冷却装置は採風壁の前面に水幕状に水を流す壁前面施水装置であるため、壁面を流れ落ちる水幕に風が当たって室内に導入され、前記の採風と蒸発熱による冷却との相乗効果が得易い。冷却装置は採風壁の前方に位置する池を備えたものであるため、池内の水面における蒸発によって付近の空気が冷却され、さらに効果的な採風冷却が行われる。
壁前面施水装置を、採風壁上端の壁上水路溝と循環水路とで構成した場合は、池の水を循環させて採風の冷却が行え、また壁上水路溝から溢れる水により、その音と視覚的効果によって清涼感も与えることができる。
【０００６】
【実施例】
この発明の一実施例を図１ないし図３に基づいて説明する。この建物採風装置は、住宅となる建物１の両側部に、各々壁面２，２の近傍から延びる採風壁４，４を設け、かつ池５および壁上水路溝６等で構成される冷却装置７を設けたものである。各採風壁４は、前記壁面２に形成された窓等の開口部３，３Ａのうち、採風を行おうとする開口部３側に先端が偏るように斜めに設けてある。図１（Ａ）における左側の採風壁４は、前面側が凹面となった曲面壁に形成し、右側の採風壁４は直線状に斜めに延びる壁としてある。池５は、モルタル，コンクリート，あるいは樹脂材料製の浅い上面の開放された水槽としてある。池５は、一部または全体を採風壁６の前部に位置させる。
【０００７】
採風壁４は、図１（Ｂ）のように御影石等からなるブロック材８を小端積した石積みのもの、あるいはコンクリート造、ガラス製等とし、図２および図３に模式的に断面を示す形状としてある。すなわち、採風壁４の上端には、全幅にわたって壁上水路溝６を形成し、この溝の採風壁前面側の溝壁６ａを背面側の溝壁６ｂよりも若干低くし、前面側へ溝６内の水９が溢れるようにしてある。この溝壁高さの違いは、採風壁上面の全周のうち、図１のように壁前面側に沿う辺と一端の辺までを低くし、採風壁４の側面にも水が溢れ落ちるようにしてある。溝壁を低くした端部は、建物１から遠い方の端部とする。
【０００８】
採風壁４内には、池５の底部を壁上水路溝６内に連通させたパイプからなる循環水路１０が設けてあり、途中にポンプ１１を介在させてある。循環水路１０の出口１０ａ（図３）は、エルボ状に形成されて壁上水路溝６に横向きに開口している。壁上水路溝６内には玉砂利１２を底部に敷き詰めてある。前記壁上水路溝６および循環水路１０で壁前面施水装置１３が構成され、この壁前面施水装置１３と池５とで冷却装置７が構成される。
【０００９】
この構成によると、採風壁４により、開口部３と平行に吹く風が捉えられ、建物１の室内に開口部３から導き入れられる。また、採風壁４の壁上水路溝６から前面に水幕状に溢れる溝や池５の水９が蒸発することにより、その蒸発熱で付近の空気が冷却される。この冷却された水が前記のように室内に取り入れられることになり、その相乗効果で効率の良い快適な自然冷房が行える。しかも、採風壁４の前面を流れ落ちる水の音や視覚的効果によって清涼感が与えられ、快適さが一層増す。池５内への水の補給は、水道水等で行うが、建物１の屋根上に降る雨水や冷房用の屋根散水を樋から導くようにしても良い。
建物１の周囲を吹く風の流れ方向は、建物１の構築された地域、立地条件、季節、一日の時間帯等によって一般に定まっている。そのため、夏場に吹く風の方向に応じて採風壁４および開口部３の位置や方向を設計することで、効果的な採風が行える。この風向きは、気象庁の観測データ等によっても実用可能な程度に分かる。
【００１０】
採風壁４によって開口部３と平行に吹く風が室内に導入されることは、１／５０の縮尺の建物および採風壁の模型を作成して風洞実験を行い、ドライアイスの白煙を利用して観測した結果、目視でも明確に分かり、写真でもその室内への導入風の流れが確認できた。
【００１１】
なお、前記実施例では壁前面施水装置１３を壁上水路溝６で構成したが、図４に示すように採風壁４の上端に設けた散水ノズル１５で噴水形式の壁前面施水装置１３Ａを構成しても良い。散水ノズル１５には池内の水を汲み出す循環用のポンプおよび循環水路（図示せず）を接続する。また、図５に示すように、池５内または池５の付近から採風壁４へ水を吹き付けるノズル１６からなる噴水装置で壁前面施水装置１３Ｂを構成しても良い。
採風壁４の平面形状ないし断面形状は、図１（Ｂ）の例のように曲面状に形成する他、本願発明とは異なるが、図６（Ａ）のように直線状としても良く、また前面の先端に折曲り延長部４ａを有する鍵形状としても良い。
【００１２】
また、採風壁４は、図７に正面図で示すように、フレーム２０とシート１７とで構成しても良い。シート１７はテント地、ビニールシート等からなり、フレーム２０の上下のフレーム材に沿って設けたレール１８に留め具１９を介して取付けてある。留め具１９はレール１８に摺動自在なものである。フレーム２０はパイプ材を枠組みしたパイプフレームとしてある。この構成の場合、同図に矢印で示すようにシート１７を片寄せ状態に畳むことができ、冬季等に風が建物内に入ることを防止できる。風向きは、夏期と冬季とでは異なる地域が多いが、冬季でも採風壁４の前面に当たり易い条件の場合にこの実施例が効果的である。
【００１３】
【発明の効果】
この発明の建物採風装置によると、建物の壁面の近傍から延びる採風壁を設け、この採風壁は先端が前記壁面の開口部側へ近づくように斜めに設け、この採風壁の偏り方向の前面側に水の蒸発を促進させる冷却装置を設けたため、開口部と平行に吹く風を捉えて建物内に導き入れることができ、しかも蒸発熱で冷却された風を室内に取り入れることができる。
冷却装置は、前記採風壁の前面に水幕状に水を流す壁前面施水装置を備えたものであるため、壁面を流れ落ちる水幕に風が当たって室内に導入され、前記の採風と蒸発熱による冷却との相乗効果が得易い。しかも、流れ落ちる水の音と視覚的効果によって清涼感も与えることができる。冷却装置は採風壁の前部に位置する池を備えたものであるため、池の水面からの蒸発で付近の空気が冷却されることにより、さらに効果的な採風冷却が行われる。
また、採風壁の前部に位置する池と、採風壁の上端から採風壁の前面側へ水を溢れさせる壁上水路溝と、前記池の水を壁上水路溝へ循環させるポンプとを設けたため、一層効果的な採風冷却および清涼感が得られ、しかも水の循環によって水の無駄が無くせる。
【図面の簡単な説明】
【図１】（Ａ）はこの発明の一実施例にかかる建物採風装置を設置した建物の破断平面図、（Ｂ）はその採風壁の斜視図である。
【図２】採風壁を厚み方向に切断した横断面図である。
【図３】採風壁の上部を幅方向に沿って切断した部分断面図である。
【図４】この発明の他の実施例を示す概略断面図である。
【図５】この発明のさらに他の実施例を示す概略断面図である。
【図６】（Ａ），（Ｂ）は各々この発明のさらに他の実施例を示す概略平面図である。
【図７】この発明のさらに他の実施例の正面図である。
【符号の説明】
１…建物、２…壁面、３…開口部、４…採風壁、５…池、６…壁上水路溝、７…冷却装置、１０…循環水路、１０ａ…出口、１１…ポンプ、１３…壁前面施水装置
【図１】
0003641006.tif 000002
【図２】
0003641006.tif 000003
【図３】
0003641006.tif 000004
【図４】
0003641006.tif 000005
【図５】
0003641006.tif 000006
【図６】
0003641006.tif 000007
【図７】
0003641006.tif 000008